(57)【特許請求の範囲】
【請求項１】
ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、
上記ハンドル体がほぼ真直な形状をなし、該ハンドル体の下方部位にはアーム片が軸支され、上記アーム片が上記ハンドル体の揺動方向側方から見てほぼＴ字形状をなし、該ほぼＴ字形状の両端には各々相互に上記取付軸から距離の異なる位置に爪部が形成されており、
上記爪部の選択によりレール継目部分及び一般部分の両方の線ばねクリップを引込み引抜き可能となしたことを特徴とする線ばねクリップ締結工具。
【請求項２】
ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、
上記ハンドル体がほぼ真直な形状をなし、該ハンドル体の下方部位にはハンドル体長さの概ね１／１６の位置に上記アーム片が軸支され、上記アーム片が上記ハンドル体の揺動方向側方から見てほぼＴ字形状をなし、該ほぼＴ字形状の両端には各々相互に上記取付軸から距離の異なる位置に爪部が形成されており、
上記爪部の選択により、上記線ばねクリップの引込み開始時に上記ハンドル体の垂直方向に対する角度を概ね１０°〜１３°、上記爪部と取付軸とを結ぶ直線の水平方向に対する角度を概ね４０°に、上記線ばねクリップの引抜き開始時に上記ハンドル体の垂直方向に対する角度を概ね１３°、上記爪部と取付軸とを結ぶ直線の水平方向に対する角度を概ね３５°〜４０°に各々設定可能となしたことを特徴とする線ばねクリップ締結工具。
【請求項３】
ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、
上記ハンドル体がほぼ真直な形状をなし、該ハンドル体の下方部位にはアーム片のほぼ中間部位が軸支され、該アーム片の長手方向の両端部位には各々上記取付軸から距離の異なる位置に爪部が形成されており、
上記爪部の選択によりレール継目部分及び一般部分の両方の線ばねクリップを引込み引抜き可能となしたことを特徴とする線ばねクリップ締結工具。
【請求項４】
ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、
上記ハンドル体がほぼ真直な形状をなし、該ハンドル体の下方部位にはハンドル体長さの概ね１／１６の位置に上記アーム片のほぼ中間部位が軸支され、上記アーム片の長手方向の両端部位には各々上記取付軸から距離の異なる位置に爪部が形成されており、
上記爪部の選択により、上記線ばねクリップの引込み開始時に上記ハンドル体の垂直方向に対する角度を概ね１０°〜１３°、上記爪部と取付軸とを結ぶ直線の水平方向に対する角度を概ね４０°に、上記線ばねクリップの引抜き開始時に上記ハンドル体の垂直方向に対する角度を概ね１３°、上記爪部と取付軸とを結ぶ直線の水平方向に対する角度を概ね３５°〜４０°に設定可能となしたことを特徴とする線ばねクリップ締結工具。
【発明の詳細な説明】
【０００１】
【発明の属する技術分野】
この発明はレール締結用の線ばねクリップを引込み引抜く際に用いる線ばねクリップ締結工具に関し、特に線ばねクリップの形状、ばね受台部の大きさや形状が異なる場合にも簡単かつ確実に引込み引抜くことのできるようにした工具に関する。
【０００２】
【従来の技術】
鉄道軌道において、木、合成又はコンクリート製のまくらぎ上にレールを敷設する場合、締結工具を用い、まくらぎ側に設けたタイプレート形又は、埋込形のばね受台部の挿入孔に平面ｅ字形状の線ばねクリップの一端部を弾性変形させつつ引込み、該線ばねクリップの弾性復帰力にてレールをまくらぎに弾性締結する方式がよく採用されている。
【０００３】
かかる線ばねクリップ締結工具では、図１０に示すように、ハンドル体５０の下方部位にアーム片５１の一端を取付軸５２で軸支し、アーム片５１の他端側に爪部５３を形成し、図１１の(a)(b)に示すように、ハンドル体５０の下端をばね受台６０又はその近傍に支持し、爪部５３で線ばねクリップ５４を引っ掛けた状態でハンドル体５０をその下端を支点に揺動させて線ばねクリップ５４の一端側をばね受台部６０の挿入孔６１に引込む一方、線ばねクリップ５４を引抜く場合は逆の操作を行うようにした方式が一般的に採用されている。
【０００４】
【発明が解決しようとする課題】
ところで、鉄道軌道の分岐器内においては、レール継目部分と、そうでない一般部分とがあり、それぞれ異なった品形の線ばねクリップが使用されることがある。
【０００５】
しかし、レール継目部分に一般部分用の締結工具を用いた場合には図１２に示されるように、ばね受台部後方の段差（低くなった箇所と線ばねクリップの折り返し部５４ａとの垂直距離）が一般部のそれより小さいため、引込み開始時にハンドル体５０をその下部Ｏを支点にして揺動させる際にアーム片取付軸５２の位置が折り返し部５４ａよりも高くなり過ぎ、爪部と取付軸とを結ぶ直線の水平方向に対する角度（図１３の角度β参照）が大きくなると、ハンドル体５０に加えられた力から線ばねクリップ５４を水平方向に移動させるのに必要な分力が得られないため、線ばねクリップ５４を引込むことができないことがあった。この問題を解決するためには爪部と取付軸５２との間の距離を長くして角度βを小さくした継目専用のアーム片に付け替える必要があり、作業が非常に煩雑になるという問題があった。
【０００６】
なお、アーム片の先端側に２つの爪部を長手方向に位置をずらして形成し、引込み途中や引抜き途中で爪部を選択してアーム片の有効長さを変え、線ばねクリップを軽く引込み引抜くことのできるようにした線ばねクリップ締結工具が知られている（実開平６ー４９５０４号公報参照）。
【０００７】
しかし、上記従来公報記載の線ばねクリップ締結工具を継目部用線ばねクリップに用いると、２つの爪部を並べた構造であるため、アーム片取付軸側の爪部を用いる場合にアーム片の先端がタイプレート等と当り、線ばねクリップに引っ掛けられなくて使用できないことが判明した。
【０００８】
本発明は、かかる問題点に鑑み、１本の工具でもってアーム片を取り換えることなく、２種類の線ばねクリップに対応できるようにした線ばねクリップ締結工具を提供することを課題とする。
【０００９】
【課題を解決するための手段】
本件発明者らは上述の課題を解決すべく鋭意研究した結果、下記のことを知見し、本発明を完成するに至った。即ち、実際の鉄道軌道でに線ばねクリップのレールに対する締結力は約１０００Ｋｇであり、線ばねクリップの引込み引抜きには約３００Ｋｇ以上の水平方向の力、特に線ばねクリップの引込み開始時には線ばねクリップを弾性変形させつつばね受台部の挿入孔に引込む関係上、線ばねクリップを上方に引き上げつつ約３００Ｋｇ以上の力で水平方向に引くことが必要である。
【００１０】
他方、線ばねクリップをばね受け台部に引込む時に線ばねクリップに働く力について検討すると、図１３においてハンドル体の下端Ｏを支点としてショルダー後方にアーム片取付軸Ｓの接線方向の力Ｐ0 でハンドル体を引くと、アーム片取付軸Ｓと線ばねクリップＣとを結ぶ方向にはＰ1 （＝Ｐ0 COS(βーα) ）の力が作用し、線ばねクリップＳにはＰ1 の水平方向の分力Ｐ2 （＝Ｐ1COSβ）が働き、これにより線ばねクリップＣが移動される。但し、角度βは爪部と取付軸とを結ぶ直線の水平方向に対する角度、角度αはハンドル体の垂直方向に対する角度である。
【００１１】
ここで、角度βが４５°以上になると垂直方向の分力が水平方向の分力を上回るので、線ばねを水平方向に移動し難くなる。従来品のアーム片取付軸の高さとハンドル体の全長の比率は概ね１：１２である。また、作業者が立ち姿勢でハンドル体を引く力は概ね４０Ｋｇ程度であることから、かかる条件ではアーム片には約４８０ｋｇの力Ｐ1 が作用する。線ばねクリップを上方に引き上げつつ上記作用力Ｐ1 の水平方向の分力Ｐ2 を３００Ｋｇ以上とするためには、上述の角度αを概ね１０°〜１３°の時、角度βを概ね３５°〜４０°とすればよい。
【００１２】
そこで、本発明に係る線ばねクリップ締結工具は、ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、上記ハンドル体がほぼ真直な形状をなし、該ハンドル体の下方部位にはアーム片が軸支され、上記アーム片が上記ハンドル体の揺動方向側方から見てほぼＴ字形状をなし、該ほぼＴ字形状の両端には各々相互に上記取付軸から距離の異なる位置に爪部が形成されており、上記爪部の選択によりレール継目部分及び一般部分の両方の線ばねクリップを引込み引抜き可能となしたことを特徴とする。
【００１３】
具体的には、本発明に係る線ばねクリップ締結工具は、ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、上記ハンドル体がほぼ真直な形状をなし、該ハンドル体の下方部位にはハンドル体長さの概ね１／１６の位置に上記アーム片を軸支し、作業者が無理なく使いこなせるように約３０％作用力の増幅を図る一方、上記アーム片が上記ハンドル体の揺動方向側方から見てほぼＴ字形状をなし、該ほぼＴ字形状の両端には各々相互に上記取付軸から距離の異なる位置に爪部を形成し、一般部及び継目部におけるばね受台部の形状、線ばねクリップの形状等に対応し、特に取外し時の角度βが小さくなるように考慮し、上記爪部の選択により、上記線ばねクリップの引込み開始時に上記ハンドル体の垂直方向に対する角度αを概ね１０°〜１３°、上記爪部と取付軸とを結ぶ直線の水平方向に対する角度βを概ね４０°に、上記線ばねクリップの引抜き開始時に上記ハンドル体の垂直方向に対する角度αを概ね１３°、上記爪部と取付軸とを結ぶ直線の水平方向に対する角度βを概ね３５°〜４０°に各々設定可能となしたことを特徴とする。
【００１４】
本発明の特徴の１つはアーム片をほぼＴ字形状とし、そのＴ字形状の両端に各々爪部を形成し、アーム片を取付軸を中心に回動させ、使用する爪部を代えられるようにした点にある。これにより、アーム片の長手方向に爪部を並べる場合にようにアーム片の先端がばね受台部に干渉することがなく、又アーム片を取り換えることなく、引っ掛け高さの異なる線ばねクリップに対してハンドル体及びアーム片を引込み開始又は引抜き開始に最適な状態にして確実に引っ掛け、ばね受台部挿入孔に軽くかつ確実に引込みあるいは引き抜くことができる。
【００１５】
また、上記ではアーム片をほぼＴ字形状としたが、アーム片の長手方向の両端に各々爪部を形成することもできる。
【００１６】
そこで、本発明に係る線ばねクリップの締結工具は、ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、上記ハンドル体がほぼ真直な形状をなし、該ハンドル体の下方部位にはアーム片のほぼ中間部位が軸支され、該アーム片の長手方向の両端部位には各々上記取付軸から距離の異なる位置に爪部が形成されており、上記爪部の選択によりレール継目部分及び一般部分の両方の線ばねクリップを引込み引抜き可能となしたことを特徴とする。
【００１７】
具体的には、本発明に係る線ばねクリップの締結工具は、ハンドル体の下方部位にアーム片を取付軸にて軸支して構成され、上記アーム片先端側の爪部に平面ｅ字状の線ばねクリップを引っ掛け、上記ハンドル体の下端を支点とする該ハンドル体の上記アーム片長手方向への揺動操作にて上記線ばねクリップの一端部をばね受台部の挿入孔に引込み又は引抜くようにした線ばねクリップ締結工具において、上記ハンドル体がほぼ真直な形状をなし、該ハンドル体の下方部位にはハンドル体長さの概ね１／１６の位置に上記アーム片のほぼ中間部位が軸支され、上記アーム片の長手方向の両端部位には各々上記取付軸から距離の異なる位置に爪部が形成されており、上記爪部の選択により、上記線ばねクリップの引込み開始時に上記ハンドル体の垂直方向に対する角度αを概ね１０°〜１３°、上記爪部と取付軸とを結ぶ直線の水平方向に対する角度βを概ね４０°に、上記線ばねクリップの引抜き開始時に上記ハンドル体の垂直方向に対する角度αを概ね１３°、上記爪部と取付軸とを結ぶ直線の水平方向に対する角度βを概ね３５°〜４０°に設定可能となしたことを特徴とする。
【００１８】
【作用及び発明の効果】
本発明によれば、爪部をアーム片の長手方向の両側又は長手方向と垂直な方向の両側に形成するか、又はアーム片に長溝を形成し、取付軸を長溝に対してスライドさせることにより、爪部と取付軸との間を距離を変更するようにしたので、引っ掛け高さの異なる線ばねクリップに対し、ハンドル体及びアーム片を引込み開始又は引抜き開始に最適な状態にして確実に引っ掛け、軽くかつ確実に線ばねを引込み又は引抜くことができる。
【００１９】
【発明の実施の形態】
以下、本発明を図面に示す具体例に基づいて詳細に説明する。図１及び図２は本発明の線ばねクリップ締結工具の好ましい実施形態を示す。図において、締結工具はハンドル体１０とアーム片２０とから構成されている。ハンドル体１０はほぼ真直な形状の角パイプ材等からなり、その上端部には両側方に延びるグリップ１１が固定され、ハンドル体１０の下端には取付部１２が固定されている。
【００２０】
この取付部１２には挿入スリット１３が前端面及び後端面に開口しかつ上下方向に延びて形成されるとともに、下端にばね受台部３２等の角部に当接させる段部１４が形成されている。
【００２１】
他方、アーム片２０はほぼＴ字形状をなし、アーム片２０のほぼＴ字形状の下端部は取付部１２の挿入スリット１３内に挿入されて取付軸２３によって回動可能に軸支され、又アーム片２０のほぼＴ字形状の両端部には取付軸２３から距離の異なる位置に爪部２１、２２が形成されている。
【００２２】
次に、図３ないし図６を用いて使用方法について説明する。図３の(a)(b)に示す一般部又は図６の(a)(b)に示す継目部において、レール３０をタイプレート３１上に敷設する場合、まず図４の(a) 及び図７の(a) に示されるように、平面ｅ字状をなす線ばねクリップ３３の先端３３ａをばね受台部３２の挿入孔３２ａにわずかに挿入し、締結工具のハンドル体１０の下端段部１４をばね受台部３２の角部又は後方の低くなった箇所に置き、締結工具のアーム片２０の適切な爪部２１又は２２を線ばねクリップ３３の折り返し部位３３ｂに引っ掛ける。
【００２３】
すると、ハンドル体１０の垂直方向に対する角度αを概ね１０°〜１３°、爪部２１、２２と取付軸２３とを結ぶ直線の水平方向に対する角度βを概ね４０°に設定できる。かかる状態においてはハンドル体１０を約４０Ｋｇの力で引っ張ると、線ばねクリップ３３には上方向に適度の引張力を作用させて線ばねクリップ３３を弾性変形させつつ、水平方向に約３００Ｋｇ以上の引張力を作用させることができるので、図４の(b) 及び図７の(b) に示されるように下端段部１４を支点にハンドル体１０を折り返し部位３３ｂの方向に引っ張って揺動させると、線ばねクリップ３３が弾性変形されつつその端部３３ａがばね受台部３２の挿入孔３２ａ内に引込まれ、レール３０がタイプレート３１に弾性締結される。
【００２４】
このようにばね受台部３２の形状やばね受台部３２の固定構造、線ばねクリップ３３の大きさや形状によって線ばねクリップ３３の折り返し部位３３ｂと締結工具の取付軸２３との間の距離が異なる場合にも、アーム片２０の爪部２１、２２を選択することによって容易に対応でき、又引込みの途中で爪部２１、２２を代えて引込み作業を二段階に行うこともできる。
【００２５】
他方、線ばねクリップ３３を外す場合には、挿入時とは反対側に、例えば一般部の場合には図５に示されるようにハンドル体１０の下端段部１４をばね受台部３２の角部に当てて支持し、線ばねクリップ３３の折り返し部位３３ｂにアーム片２０の爪部２２を引っ掛けると、ハンドル体１０の垂直方向に対する角度αを概ね１３°、爪部２２、２１と取付軸２３とを結ぶ直線の水平方向に対する角度βを概ね３５°に設定でき、かかる状態ではハンドル体１０を約４０Ｋｇの力で引っ張ると、線ばねクリップ３３には水平方向に約３００Ｋｇ以上の引張力を作用させることができるので、上記と同様の操作を行えば、線ばねクリップ３３を軽くかつ確実に引抜くことができる。
【００２６】
図８及び図９は本発明の第２の実施形態を示し、図において図１及び図２と同一符号は同一又は相当部分を示す。本例では第１の実施形態とは異なり、アーム片２０の長手方向の両端部に爪部２４、２５を形成する一方、アーム片２０の長手方向中央より一方の爪部２５側に取付軸２３の挿通穴２７を形成し、取付軸２３と一方の爪部２５からの距離よりも取付軸２３と他方の爪部２４からの距離の方が大きくなるように設定しており、このように構成することによっても上記実施形態と同様の作用効果を奏する。なお、アーム片２０には一方の爪部２５側にウェイト２６を設けて爪部２５側を使うときにアーム片２０を爪部２５側に下がるようにしている。
【図面の簡単な説明】
【図１】  本発明に係る線ばねクリップ締結工具の第１の実施形態における側面(a) 及び正面(b) を示す図である。
【図２】  上記線ばねクリップ締結工具におけるアーム片２０の正面(a) 、一部切欠き右側面(b) 及び左側面(c) を示す図である。
【図３】  上記線ばねクリップ締結工具が適用される一般部の弾性締結構造の正面(a) 及び平面(b) を示す図である。
【図４】  一般部に対する上記線ばねクリップ締結工具の引込み開始時(a) 及び引込み完了の状態(b) を示す図である。
【図５】  一般部に対する上記線ばねクリップ締結工具の引抜き開始時の状態を示す図である。
【図６】  上記線ばねクリップ締結工具が適用される継目部の弾性締結構造の正面(a) 及び平面(b) を示す図である。
【図７】  継目部に対する上記線ばねクリップ締結工具の引込み開始時(a) 及び引込み完了の状態(b) を示す図である。
【図８】  本発明に係る線ばねクリップ締結工具の第２の実施形態を示す側面図である。
【図９】  上記線ばねクリップ締結工具におけるアーム片の正面(a) 及び底面(b) を示す図である。
【図１０】  従来の線ばねクリップ締結工具を示す側面図である。
【図１１】  従来の線ばねクリップ締結工具を用いた引込み開始時(a) 及び引込み完了の状態(b) を示す図である。
【図１２】  発明が解決しようとする課題を説明するための図である。
【図１３】  課題を解決するための手段を説明するための図である。
【符号の説明】
１０          ハンドル体（１２を含む）
１１          グリップ
１４          下端段部
２０          アーム片
２１、２２    爪部
２３          取付軸
３１          タイプレート
３２          ばね受台部
３２ａ        挿入孔
３３          線ばねクリップ
３３ａ        一端
３３ｂ        折り返し部
【図１】
0003965592.tif 000002
【図２】
0003965592.tif 000003
【図３】
0003965592.tif 000004
【図４】
0003965592.tif 000005
【図５】
0003965592.tif 000006
【図６】
0003965592.tif 000007
【図７】
0003965592.tif 000008
【図８】
0003965592.tif 000009
【図９】
0003965592.tif 000010
【図１０】
0003965592.tif 000011
【図１１】
0003965592.tif 000012
【図１２】
0003965592.tif 000013
【図１３】
0003965592.tif 000014